(57)【要約】【課題】コンパクトに収納できると共に、釣糸の出し入れの円滑化，糸絡み防止など問題を解決する釣竿を提供する。【解決手段】この釣竿は、元竿１と元竿１の穂先側に連結された中間竿体群２と、中間竿体群２の穂先側に連結される穂先竿体群３とからなる。中間竿体群２は３本の中間竿２ａ，２ｂ，２ｃの３本の中竿からなり、穂先竿体群３は３本の穂先竿３ａ，３ｂ，３ｃの３本の穂先竿からなる。穂先竿体群３を構成する３本の穂先竿３ａ，３ｂ，３ｃの穂先側端部にはトップガイド７が脱着自在に装着されている。各中間竿・穂先竿にはスライドガイド８が装着され、スライドガイド８のガイドリング８ｃは各竿体間の釣糸移動空間側に位置する。【選択図】　　　図２
2004113058.tif 000002
【特許請求の範囲】
【請求項１】
リールを脱着自在に装着可能なリールシートを周面に有する手元側竿体と、
複数の中間竿体が並列して構成されており、前記中間竿体はそれぞれ前記手元側竿体の穂先側に前記手元側竿体内に出し入れ自在に連結されており、前記複数の中間竿が前記手元側竿体の穂先側に引き出された際に前記複数の中間竿により囲まれる釣糸移動空間が形成される中間竿体群と、
複数の穂先竿が並列して構成されており、前記穂先竿は前記中間竿体群を構成する複数の中間竿のそれぞれの穂先側に前記中間竿内に出し入れ自在に連結されており、前記複数の穂先竿が前記中間竿の穂先側に引き出された際に前記複数の穂先竿により囲まれる釣糸移動空間が形成される穂先竿体群と、
前記中間竿体群を構成するそれぞれの中間竿の周面及び前記穂先竿体群を構成するそれぞれの穂先竿の周面に軸方向にスライド移動自在に配置されるガイド部材であり、釣糸が挿通するガイドリングを有し、前記ガイドリングが前記釣糸移動空間に位置し得る複数のスライドガイドと、
前記穂先竿体群を構成する複数の穂先竿の穂先側端部に脱着自在に装着され軸方向視中央付近に軸方向に貫通する貫通孔を有しているトップガイドと
を備える釣竿。
【請求項２】
前記中間竿体群は、第１中間竿，第２中間竿，第３中間竿の３本の竿体からなり、これら３本の竿体は軸方向視に於いて円周を描くように並列し各竿体の間に釣糸移動空間を形成しており、
前記穂先竿体群は、第１中間竿の穂先側に連結された第１穂先竿，第２中間体の穂先側に連結された第２穂先竿，前記第３中間竿の穂先側に連結された第３穂先竿とからなり、これら３本の竿体も軸方向視において円周を描くように並列し各竿体の間に釣糸移動空間を形成しており、
前記中間竿体群において、前記スライドガイドは、第１中間竿，第２中間竿，第３中間竿の順に軸方向に間隔を隔てて順次各竿体の周面に固定され得、
また、前記穂先竿体群において、前記スライドガイドは、第１穂先竿，第２穂先竿，第３穂先竿の順に軸方向に間隔を隔てて順次各竿体の周面に固定され得る、請求項１に記載の釣竿。
【発明の詳細な説明】
【０００１】
【発明の属する技術分野】
本発明は、複数の竿体を、いわゆる振出形式に連結してなる釣竿に関する。
【０００２】
【従来の技術】
一般に振出形式と呼ばれるタイプの釣竿は、手元側に大径の竿体を、穂先側に小径の竿体を配置し、大径の竿体内部に小径の竿体を出し入れ自在に連結している。このような振出形式の釣竿の中でも外通し竿と呼ばれるタイプの釣竿は、各竿体の周面にリールを装着するためのリールシートや、リールからの釣糸を案内するための釣糸ガイドが配置される。この釣糸ガイドは竿体を振出形式に収納するため軸方向に竿体周面をスライド移動可能としているものである。一方、中通し竿と呼ばれるタイプの釣竿では、釣糸が竿体内部の釣糸通路を挿通して、穂先側に至るようになっている。
【０００３】
このような従来の釣竿において外通し竿と呼ばれるタイプのものは、釣糸と釣糸ガイドとの抵抗は比較的小さくリールからの釣糸の出し入れは比較的円滑に為し得る。しかし、釣糸が風に煽られる恐れがあること、釣糸ガイドに釣糸が絡まってしまう恐れがあること等が問題とされている。一方、中通し竿と呼ばれるタイプのものは、釣糸が竿体内部を挿通するので、風に煽られることや糸絡みなどの問題はないものの、釣糸と竿体内周面との抵抗が大きくなるという問題がある。そこで、これらの問題を解決できるような釣竿の研究が進められてきた。
【０００４】
このような中通し竿の釣糸の抵抗軽減等の是正を図るために、２本の竿体を並列させた上で両者を釣糸ガイドで固定した釣竿が提案されている（例えば、特許文献１参照）。しかし、この釣竿は竿体をコンパクトに収納し得るものではなく、ユーザの要求に十分に対応できたものではない。
【０００５】
【特許文献１】
特開平７−２５０５９４号公報（第２頁，図１）。
【０００６】
【発明が解決しようとする課題】
本発明の課題は、コンパクトに収納できると共に、釣糸の出し入れの円滑化，糸絡み防止など問題を解決する釣竿を提供することにある。
【０００７】
【課題を解決するための手段】
発明１の釣竿は、リールを脱着自在に装着可能なリールシートを周面に有する手元側竿体と、複数の中間竿が並列して構成されており、中間竿はそれぞれ手元側竿体の穂先側に手元側竿体内に出し入れ自在に連結されており、複数の中間竿が手元側竿体の穂先側に引き出された際に複数の中間竿により囲まれる釣糸移動空間が形成される中間竿体群と、複数の穂先竿が並列して構成されており、穂先竿は中間竿体群を構成する複数の中間竿のそれぞれの穂先側に中間竿体内に出し入れ自在に連結されており、複数の穂先竿が中間竿体の穂先側に引き出された際に複数の穂先竿により囲まれる釣糸移動空間が形成される穂先竿体群と、中間竿体群を構成するそれぞれの中間竿の周面及び穂先竿体群を構成するそれぞれの穂先竿の周面に軸方向にスライド移動自在に配置されるガイド部材であり、釣糸が挿通するガイドリングを有し、このガイドリングが釣糸移動空間に位置し得る複数のスライドガイドと、穂先竿体群を構成する複数の穂先竿の穂先側端部に脱着自在に装着され軸方向視中央付近に軸方向に貫通する貫通孔を有しているトップガイドとを備えている。
【０００８】
釣りを行わない収納時にあっては、穂先竿・中間竿の周面に装着されているスライドガイドをそれぞれの竿体上で穂先側にスライド移動させておく。そして、穂先竿体群を構成する穂先竿からトップガイドを取り外したうえで、各穂先竿をそれぞれその手元側の中間竿体群の中間竿体に収納し、さらに、中間竿を手元側竿体内に収納してコンパクトな状態とする。
【０００９】
釣りを行う際にあっては、逆に、穂先竿・中間竿をそれぞれ穂先側に引き出して振出形式に連結し、各竿体上のスライドガイドをそれぞれの竿体の周面で手元側にスライド移動させて所定の周面で固定し、さらに、トップガイドを穂先竿の穂先側に連結して、各穂先竿をまとめる。スライドガイドは各竿体によって囲まれる釣糸移動空間内にガイドリングが位置するように配置される。そして、手元側竿体のリールシートに装着したリールからの釣糸は、中間竿体群に至っては釣糸移動空間に導かれ、スライドガイドのガイドリングを挿通する。そして、トップガイドから穂先側に導出される。
【００１０】
発明２の釣竿は、発明１の釣竿であって、中間竿体群は、第１中間竿，第２中間竿，第３中間竿の３本の竿体からなり、これら３本の竿体は軸方向視に於いて円周を描くように並列し各竿体の間に釣糸移動空間を形成しており、穂先竿体群は、第１中間竿の穂先側に連結された第１穂先竿，第２中間竿の穂先側に連結された第２穂先竿，第３中間竿の穂先側に連結された第３穂先竿とからなり、これら３本の竿体も軸方向視において円周を描くように並列し各竿体の間に釣糸移動空間を形成しており、中間竿体群において、スライドガイドは、第１中間竿体，第２中間竿体，第３中間竿体の順に軸方向に間隔を隔てて順次各竿体の周面に固定され得、また、穂先竿体群において、スライドガイドは、第１穂先竿，第２穂先竿，第３穂先竿の順に軸方向に間隔を隔てて順次各竿体の周面に固定され得る。
【００１１】
この釣竿では、釣りを行う際に手元側竿体のリールシートから中央竿体群に至り釣糸移動空間に導かれた釣糸は、各中間竿に軸方向に間隔を隔てて固定されたスライドガイドのガイドリングを挿通する。また、穂先竿体群に至った釣糸も、各穂先竿に軸方向に間隔を隔てて固定されたスライドガイドのガイドリングを挿通する。これらのスライドガイドは順次異なる竿体に装着されており、各竿体が釣糸からの振動・加重を順次分散して受け取るので、竿体の調子・操作性に優れる。
【００１２】
さらに、３本の竿体で釣糸移動空間を構成することにより、竿体の径よりも大きな釣糸移動空間を形成することができ、竿体の径よりも大きな径を有するガイドリングを採用することも可能となる。また、釣糸移動空間が竿体によって十分に囲まれるので糸絡みが生じにくい。さらに、３本の竿体を用いることで、曲げ合成の方向性が少なくなる。
【００１３】
【発明の実施の形態】
以下、本発明の一実施形態について図面を参照しつつ説明する。
本発明の第１実施形態を採用した釣竿は、図１及び図２に示すように、元竿１と元竿１の穂先側に連結された中間竿体群２と、中間竿体群２の穂先側に連結される穂先竿体群３とからなる。中間竿体群２は３本の中間竿２ａ，２ｂ，２ｃの３本の中間竿からなり、穂先竿体群３は３本の穂先竿３ａ，３ｂ，３ｃの３本の穂先竿からなる。穂先竿体群３を構成する３本の穂先竿３ａ，３ｂ，３ｃの穂先側端部にはトップガイド７が脱着自在に装着されている。
【００１４】
元竿１と３本の中間竿はそれぞれ振出形式で連結され、３本のそれぞれの中間竿に対して３本の穂先竿が振出形式に連結されている。即ち、手元側に位置する竿体の穂先側内周面に嵌合部分が形成されており、穂先側の竿体の竿元側端部外周面がここに嵌着して連結固定可能となっている。
元竿１は、炭素繊維などの強化繊維に合成樹脂を含浸させたプリプレグ素材を焼成した先細りテーパ付きの棒状部材である。最も手元側に位置する太径の竿体である。その内部には中間竿体群２を穂先側から振出形式に収納可能な３つの収納空間が形成されている。長手方向中央付近の周面にはリール４を脱着自在に装着可能なリールシート５が配置されており、リールシート５の穂先側の周面には固定ガイド６が装着されている。固定ガイド６はリール４からの釣糸Ｌが挿通するが挿通する硬質部材からなるガイドリングが装着されたガイド部材であって、元竿１の周面の所定位置に固定されている。
【００１５】
中間竿体群２を構成する３本の中間竿２ａ，２ｂ，２ｃは軸方向視に於いて円周を描くように並列して、元竿１の穂先側に連結されている。そして、これらの３本の中間竿２ａ，２ｂ，２ｃは各竿体の間に釣糸移動空間を形成している。３本の中間竿２ａ，２ｂ，２ｃも元竿１と同様に炭素繊維などの強化繊維プリプレグから製造される先細りテーパ付き棒状部材である。
【００１６】
また、この３本の中間竿２ａ，２ｂ，２ｃの周面には複数のスライドガイド８が軸方向にその周面上をスライド移動自在に装着されている。このスライドガイド８は各中間竿の周面に各中間竿が挿通した状態で装着された固定リング部分８ａと、固定リング部分８ａから起立するフレーム部分８ｂと、フレーム部分８ｂに装着された硬質部材からなるガイドリング８ｃと有する。上述の各中間竿の外径のテーパ変化を考慮して固定リング部分８ａの内径が設定されており、所定の軸方向位置においてその径により固定リング部分８ａが中間竿の周面に位置決め固定され、穂先側方向にスライド移動可能である。この際、スライドガイド８が位置決め固定される軸方向位置は、竿元側から、１つ目の中間竿２ａ，次の中間竿２ｂ，最後の中間竿２ｃ，再び１つ目の中間竿２ａというように、軸方向に間隔を隔てて設定される。また、このスライドガイド８はそのガイドリング８ｃが各竿体の間の釣糸移動空間内に位置するように位置決め固定される（図２参照）。
【００１７】
穂先竿群３を構成する３本の穂先竿３ａ，３ｂ，３ｃも、軸方向視に於いて円周を描くように並列して配列されている。各穂先竿はそれぞれ上述の中間竿の穂先側に振出形式に連結されており、これらの３本の穂先竿は中間竿と同様に各竿体の間に釣糸移動空間を形成している。３本の穂先竿も元竿１と同様に炭素繊維などの強化繊維プリプレグから製造される先細りテーパ付き棒状部材である。また、この３本の穂先竿３ａ，３ｂ，３ｃの周面にも複数のスライドガイド８が軸方向にその周面上をスライド移動自在に装着されている。このスライドガイド８も上述の中間竿の場合と同様である。
【００１８】
さらに、３本の穂先竿３ａ，３ｂ，３ｃの穂先竿にはトップガイド７が装着される。トップガイド７はスチレンゴム等のゴム素材からなる短円筒型部材である。トップガイド７の手元側端面には３つの挿入口が形成されており、ここに３本の穂先竿３ａ，３ｂ，３ｃが脱着自在に挿入される。トップガイド７では、その穂先竿周方向中央を軸方向に貫通する貫通孔７ａが貫通し、必要に応じてセラミックスなどの硬質部材からなるガイドリングが装着されている。
【００１９】
このような釣竿では、釣りを行わない収納時にあっては、各穂先竿３ａ，３ｂ，３ｃ及び中間竿２ａ，２ｂ，２ｃの周面に装着されているスライドガイド８を各竿体上で穂先側にスライド移動させておく。そして、穂先竿体群３を構成する穂先竿３ａ，３ｂ，３ｃからトップガイド７を取り外したうえで、各穂先竿３ａ，３ｂ，３ｃをそれぞれその手元側の中間竿体群２を構成する３本の中間竿２ａ，２ｂ，２ｃに収納し、さらに、これらの中間竿２ｓ，２ｂ，２ｃを元竿１に収納してコンパクトな状態とする（図３参照）。この際には、スライドガイド８のガイドリング８ｃは周方向に回動させて釣糸移動空間ではなく各竿体の径外方向に位置させてもよい。なお、釣糸移動空間内にスライドガイド８のガイドリング８ｃを位置させて、複数のスライドガイド８のガイドリング８ｃをそれぞれ合致させておけば、釣糸をガイドリング８ｃに一度に挿通させることもできる。
【００２０】
釣りを行う際にあっては、逆に、穂先竿３ａ，３ｂ，３ｃ・中間竿２ａ，２ｂ，２ｃをそれぞれ穂先側に引き出して振出形式に連結し、各竿体上のスライドガイド８をそれぞれの竿体の周面で手元側にスライド移動させて所定の周面で固定する。この際は、上述のように、スライドガイド８のガイドリング８ｃは釣糸移動空間側に位置するように周方向に回動させて固定しておく。さらに、３本の穂先竿３ａ，３ｂ，３ｃの穂先側にスライドガイド７連結して、各穂先竿３ａ，３ｂ，３ｃをまとめる。
【００２１】
元竿１のリールシート５に装着したリール４からの釣糸Ｌは、中間竿体群２に至っては３本の中間竿２ａ，２ｂ，２ｃの間の釣糸移動空間に導かれ、釣糸移動空間内で各スライドガイド８のガイドリング８ｃを挿通し、トップガイド７の貫通孔７ａを通って穂先側に導出される。
以上のように、この釣竿は、収納時にはコンパクトに収納できる。釣糸Ｌが竿体に囲まれた釣糸移動空間内を通過するので、中通し竿のように風の影響を受けにくい。また、釣糸移動空間内においてもスライドガイド８で釣糸Ｌは案内されるので、中通し竿のように釣糸Ｌを滑動抵抗が増加することもない。さらに、３本の竿体に順番に装着されているスライドガイド８のガイドリング８ｃを釣糸Ｌが挿通することで、釣糸Ｌからの力を各竿体が分散して受け止めまた感知し、竿体の強度・魚のアタリの感知・操作性等にも優れる。
【００２２】
また、３本の中間竿２ａ，２ｂ，２ｃにより釣糸移動空間を形成することで、大きな釣糸移動空間を形成でき、必要に応じて各中間竿の径より大きなガイドリング８ｃを用いることも可能となる。さらに、曲げ剛性の方向性も少ない。
［他の実施形態］
（ａ）上記実施形態では中間竿体群２を１つのみ用いているが、例えば、第１中間竿体群、その穂先側に第２中間竿体群等のように、複数の中間竿体群２を配置してもよい。
（ｂ）また、上記実施形態では、中間竿体群２，穂先竿体群３はそれぞれ３本の竿体から構成しているが、これに限定されるものではない。竿体の本数を増加させれば、さらに曲げ剛性の方向性を低減できる。
【００２３】
【発明の効果】
本発明に係る釣竿は、コンパクトに収納できると共に、釣糸の出し入れの円滑化，糸絡み防止など問題を解決できる。
【図面の簡単な説明】
【図１】本発明の一実施形態を採用した釣竿の全体図。
【図２】図１の拡大参考図。
【図３】図１の釣竿の竿体を収納した状態を示した図。
【符号の説明】
１　元竿
２　中間竿体群
３　穂先竿体群
６　固定ガイド
８　スライドガイド
Ｌ　釣糸
【図１】
2004113058.tif 000003
【図２】
2004113058.tif 000004
【図３】
2004113058.tif 000005